(57)【特許請求の範囲】
【請求項１】
台座に対して開閉中間位置を境に閉じ位置方向又は開き位置方向に旋回して閉じ位置と開き位置に開閉するように蓋体を往復開閉自在に開閉連結部により連結し、蓋体に、開閉連結部の旋回軸心を中心に蓋体と一体に旋回し、閉じ位置で閉じ蓋体側に位置する開き従動部と開き位置で開き蓋体側に位置する閉じ従動部とを設ける一方、
台座に復帰自在に押し込み操作可能に設けた操作部と該操作部の押し込み操作に伴って駆動開始位置から駆動終了位置に復帰自在に回転するように設けた駆動軸部と該駆動軸部と一体に復帰回転自在に駆動開始位置から駆動終了位置に起立回転する開閉駆動部とからなる開閉駆動部材を設け、
該開閉駆動部材の前記開閉駆動部が、蓋体の閉じ位置付近の開き駆動開始位置から開閉中間位置の手前の押し放し位置に起立回転して前記開き従動部を押し開き駆動する開き駆動部と、蓋体の開き位置付近の閉じ駆動開始位置から開閉中間位置の手前の押し放し位置に起立回転して前記閉じ従動部を閉じ駆動する閉じ駆動部とを、前記開閉連結部の旋回軸心を間にそれぞれ閉じ蓋体側と開き蓋体側に位置して一体に具備し、
蓋体の開閉中間位置付近から開き位置方向又は閉じ位置方向への旋回に伴って前記閉じ従動部又は開き従動部に当接した前記閉じ駆動部又は開き従動部が開き駆動開始位置又は閉じ駆動開始位置に復帰回転し、同時に駆動軸部が駆動終了位置から駆動開始位置に復帰回転すると共に操作部が押し込み操作の駆動開始位置に復帰するようにした蓋体の開閉装置。
【請求項２】
請求項１に記載の蓋体の開閉装置において、蓋体に、開閉連結部の旋回軸心を中心に蓋体と一体に旋回し、前記旋回軸心に対して蓋体の閉じ位置で開き従動部が蓋体の下側に位置すると共に閉じ従動部が蓋体の上側に位置し、蓋体の開き位置で閉じ従動部が蓋体の下側に位置すると共に開き従動部が蓋体の上側に位置するように設ける一方、開閉駆動部の開き駆動部が前記旋回軸心に対して蓋体の閉じ位置で開き従動部の下側に位置すると共に閉じ駆動部が前記旋回軸心に対して蓋体の開き位置で閉じ従動部の下側に位置するように、前記旋回軸心に直交する駆動軸部を中心に起立回転するように設けた蓋体の開閉装置。
【請求項３】
請求項１又は２に記載の蓋体の開閉装置において、開閉駆動部材を台座の裏側に取り付けてなる蓋体の開閉装置。
【請求項４】
請求項１、２又は３に記載の蓋体の開閉装置において、開閉駆動部材の開閉駆動部と操作部との間を台座の裏側に設けた駆動軸部で連結してなる蓋体の開閉装置。
【請求項５】
請求項１乃至４のいずれかに記載の蓋体の開閉装置において、開閉駆動部材を一本の線材を折り曲げて構成してなる蓋体の開閉装置。
【請求項６】
請求項１乃至５のいずれかに記載の蓋体の開閉装置において、開閉駆動部材の開き駆動部又は閉じ駆動部が当接する蓋体の開き従動部又は閉じ従動部の接触面に接触抵抗を小さくした円滑接触面部を設けてなる蓋体の開閉装置。
【請求項７】
請求項１乃至６のいずれかに記載の蓋体の開閉装置において、開閉駆動部材の駆動軸部にクランク腕部を介して回転操作するように設けた操作部に対して、該操作部に当接して回転操作するように台座に設けた押しボタンの該操作部との接触面に傾斜面部を設けてなる蓋体の開閉装置。
【発明の詳細な説明】
【技術分野】
【０００１】
本発明は、手で直接持って開閉すると手が汚れたり、汚損する恐れがある蓋体、手で直接持って開閉し難い構造や状況のある蓋体、開いた直後に閉じておきたい蓋体等に適した化粧品容器、ゴミ容器、揮発性物容器、スタンプ台等の蓋体開閉装置に関する。
【背景技術】
【０００２】
一個の押しボタンによって蓋体を開閉操作するようにした蓋体開閉装置は知られている（特許文献１参照。）
この蓋体開閉装置は、押しボタンを弾力部材の復帰弾力に抗して押し込むと、押し棒部材の先端が押しボタンに近い距離位置にある蓋体の開き溝を押圧して、蓋体をヒンジ連結部の軸心を中心に回転して開放すると共に、弾力部材の復帰弾力により復帰した押しボタンを再度押し込むと、押し棒部材の先端が蓋体が閉じて近い距離に位置する閉じ溝を押圧して、蓋体をヒンジ連結部の軸心を中心に回転して閉じる構成であり、このとき、開閉切り換え部材が、前記押し棒部材の先端を蓋体の開閉に伴って閉じ状態の蓋体の開き溝と開き状態の蓋体の閉じ溝に切り換えて係合させる構成である。
【特許文献１】特開平６−３２１２４６号公報
【発明の開示】
【発明が解決しようとする課題】
【０００３】
この従来装置では、蓋体に開閉に伴って押しボタンに遠近する開き溝や閉じ溝を設ける必要があり、且つ、閉じた蓋体の下側に、押し棒部材、弾力部材、開閉切り換え部材を必要とし、構造が複雑になる課題があった。
【課題を解決するための手段】
【０００４】
そこで、本発明は、請求項１に記載のように、台座に対して閉じ位置と開き位置との間を開閉連結部を中心に往復開閉自在に蓋体を連結し、蓋体を台座に設けた一個の開閉駆動部材の操作部の押し込み操作により往復開閉するようにした蓋体開閉装置において、蓋体に開閉連結部を中心に蓋体と一体に旋回する開き従動部と閉じ従動部を設ける一方、前記開閉駆動部材の開閉駆動部に、蓋体閉じ位置付近の開き始動位置から押し放し位置において開き従動部に当接する開き駆動部と、蓋体開き位置付近の閉じ始動位置から押し放し位置において閉じ従動部に当接する閉じ駆動部を一体に設けると共に、前記開閉駆動部材の操作部を、開き従動部又は閉じ従動部に伴って前記開き又は閉じ閉駆動部と連動して蓋体閉じ位置又は蓋体開き位置の開閉駆動始動位置に復帰作動するように設けてなるスタンプ台等の蓋体開閉装置を提供するものである。
【０００５】
また、本発明は、請求項２に記載のように、請求項１に記載の蓋体開閉装置において、開閉駆動部の開き駆動部と閉じ駆動部とを開閉連結部の旋回軸心を間にその両側の蓋体閉じ位置と蓋体開き位置に位置して開閉駆動部材に設け、開閉駆動時において蓋体開き位置と蓋体閉じ位置の中間の押し放し位置で開き従動部及び閉じ従動部を開き駆動部と閉じ駆動部とに当接しない位置に開放して開閉駆動を終了すると共に、蓋体を開閉駆動の慣性力によって押し放し位置から蓋体開き位置又は蓋体閉じ位置に旋回し、同時に開き従動部又は閉じ従動部により開き駆動部又は閉じ駆動部を押し倒して操作部を伴って開閉駆動部材を開閉駆動開始位置に復帰回転駆動するように設けてなるスタンプ台等の蓋体開閉装置を提供するものである。
【０００６】
また、本発明は、請求項３に記載のように、請求項１又は２に記載の蓋体開閉装置において、開閉駆動部材を台座の裏側に取り付けてなるスタンプ台等の蓋体開閉装置を提供するものである。
【０００７】
また、本発明は、請求項４に記載のように、請求項１、２又は３に記載の蓋体開閉装置において、開閉駆動部材の開閉駆動部と操作部との間を台座の裏側に設けた駆動連動部材で連結してなるスタンプ台等の蓋体開閉装置を提供するものである。
【０００８】
また、本発明は、請求項５に記載のように、請求項４に記載の蓋体開閉装置において、開閉駆動部材を一本の線材を折り曲げて構成してなるスタンプ台等の蓋体開閉装置を提供するものである。
【０００９】
また、本発明は、請求項６に記載のように、請求項１乃至５のいずれかに記載の蓋体開閉装置において、開閉駆動部材の開き駆動部又は閉じ駆動部が当接する蓋体の開き従動部又は閉じ従動部の接触面に、押し回しに伴って押し回し速度が増大するように傾斜面部を設けてなるスタンプ台等の蓋体開閉装置を提供するものである。
【００１０】
また、本発明は、請求項７に記載のように、請求項１乃至６のいずれかに記載の蓋体開閉装置において、開閉駆動部材の操作部に当接する台座に設けた押しボタンの接触面に、押し回しに伴って押し回し量が増大するように傾斜面部を設けてなるスタンプ台等の蓋体開閉装置を提供するものである。
【発明の効果】
【００１１】
本発明に係るスタンプ台等の蓋体開閉装置によれば、請求項１に記載のように、台座に対して閉じ位置と開き位置との間を開閉連結部を中心に往復開閉自在に蓋体を連結し、蓋体を台座に設けた一個の開閉駆動部材の操作部の押し込み操作により往復開閉するようにした蓋体開閉装置において、蓋体に開閉連結部を中心に蓋体と一体に旋回する開き従動部と閉じ従動部を設ける一方、前記開閉駆動部材の開閉駆動部に、蓋体閉じ位置付近の開き始動位置から押し放し位置において開き従動部に当接する開き駆動部と、蓋体開き位置付近の閉じ始動位置から押し放し位置において閉じ従動部に当接する閉じ駆動部を一体に設けると共に、前記開閉駆動部材の操作部を、開き従動部又は閉じ従動部に伴って前記開き又は閉じ閉駆動部と連動して蓋体閉じ位置又は蓋体開き位置の開閉駆動始動位置に復帰作動するように設けてなる構成を有することにより、蓋体閉じ位置において、駆動開始位置に位置する開閉駆動部材の操作部を押しボタン等により操作して開き駆動部により、蓋体と一体に旋回する開き従動部を閉じ位置から開き位置に向かって旋回させ、蓋体閉じ位置と蓋体開き位置との中間の押し放し位置で開き従動部を開放すると、蓋体はその勢いで閉じ位置に向かって旋回を継続し、開き位置に達することとなり、同時に閉じ従動部で閉じ駆動部を押し回して開閉駆動部材を駆動開始位置に復帰回動することができ、次いで、この蓋体開き位置において、再度前記押しボタン等により駆動開始位置に位置する開閉駆動部材の操作部を押し回し操作すると、閉じ駆動部により蓋体と一体に旋回する閉じ従動部を開き位置から閉じ位置に向かって旋回させ、蓋体開き位置と蓋体閉じ位置との中間の押し放し位置で閉じ従動部を開放すると、蓋体はその勢いで閉じ位置に向かって旋回を継続し、同時に開き従動部で開き駆動部を押し回して開閉駆動部材を駆動開始位置に復帰回動し、蓋体閉じ位置に達することとなり、一個の開閉駆動部材によって簡素な構造で蓋体を開閉駆動することできる効果がある一方、手では開けにくい種々の蓋体を開閉駆動部材で容易に開閉操作することができると共に、手で直接に触れると手が汚れやすい開閉蓋体を手を汚すことなく開閉することができる等の効果がある。
【００１２】
また、本発明は、請求項２に記載のように、請求項１に記載の蓋体開閉装置において、開閉駆動部の開き駆動部と閉じ駆動部とを開閉連結部の旋回軸心を間にその両側の蓋体閉じ位置と蓋体開き位置に位置して開閉駆動部材に設け、開閉駆動時において蓋体開き位置と蓋体閉じ位置の中間の押し放し位置で開き従動部及び閉じ従動部を開き駆動部と閉じ駆動部とに当接しない位置に開放して開閉駆動を終了すると共に、蓋体を開閉駆動の慣性力によって押し放し位置から蓋体開き位置又は蓋体閉じ位置に旋回し、同時に開き従動部又は閉じ従動部により開き駆動部又は閉じ駆動部を押し倒して操作部を伴って開閉駆動部材を開閉駆動開始位置に復帰回転駆動することができ、蓋体開き位置又は蓋体閉じ位置において開閉駆動部材を開閉駆動開始位置に自動的に復帰させることができる効果がある。
【００１３】
また、本発明は、請求項３に記載のように、請求項１又は２に記載の蓋体開閉装置において、開閉駆動部材をスタンプ台等の台座の裏側に取り付けてなる構成を有することにより、スタンプ台等を嵌着する台座の開口部から開閉操作部材の軸受溝を無くすことができ、開口部に設けたスタンプ台等のインク等が漏れ出るのを防止することができる効果があると共に、開閉操作部材の開閉駆動部及び操作部の駆動回転軸と蓋体の開閉連結部の旋回軸心との距離が遠くなるため、その分だけ蓋体の開き従動部又は閉じ従動部、或いは、開き駆動部又は閉じ駆動部の回転半径を長く設定することができ、テコの原理で開閉駆動部で軽く回転駆動操作することができる効果があると共に、開閉駆動部材の駆動回転軸を中心とする操作部の回転半径を長く設定することができ、同様にテコの原理で開閉駆動部で軽く回転駆動操作することができる効果があり、また、その相乗効果により蓋体の開閉駆動を軽快、迅速、確実にすることができるものである。
【００１４】
また、本発明は、請求項４に記載のように、請求項１、２又は３に記載の蓋体開閉装置において、開閉駆動部材の開閉駆動部と操作部との間を台座の裏側に設けた駆動連動部材で連結してなる構成を有することにより、請求項３における効果を達成することができる効果がある。
【００１５】
また、本発明は、請求項５に記載のように、請求項４に記載の蓋体開閉装置において、開閉駆動部材を一本の線材を折り曲げて構成してなる構成を有することにより、弾力性のある開閉駆動部材を開閉駆動部、操作部及び駆動回転軸部を含めて全体を、強靱に、簡素・簡単に、且つ、小嵩に構成することができる効果がある。
【００１６】
また、本発明は、請求項６に記載のように、請求項１乃至５のいずれかに記載の蓋体開閉装置において、開閉駆動部材の開き駆動部又は閉じ駆動部が当接する蓋体の開き従動部又は閉じ従動部の接触面に、押し回しに伴って押し回し速度が増大するように傾斜面部を設けてなる構成を有することにより、開閉駆動部の初動時の押し回しによって、開閉蓋体を加速度的に効果的に回転操作することができる一方、開閉駆動部の回転角度を小さくすることができると共に、開閉駆動部の回転半径を小さくすることができ、蓋体の回転操作を迅速に軽快に行うことができる効果がある。
【００１７】
また、本発明は、請求項７に記載のように、請求項１乃至６のいずれかに記載の蓋体開閉装置において、開閉駆動部材の操作部に当接する台座に設けた押しボタンの接触面に、押し回しに伴って押し回し量が減少しないように傾斜面部を設けてなる構成を有することにより、押しボタン等により操作部を加速度的に効果的に回転操作することができると共に、押しボタン等の押し込み深さを小さくすることができる、蓋体の回転操作を迅速に軽快に行うことができる効果がある。
【発明を実施するための最良の形態】
【００１８】
以下図示する実施例により、本発明に係る蓋体開閉装置を説明する。
〔実施例〕
【００１９】
図に記載のスタンプ台の蓋体開閉装置の実施例のおいて、蓋体１は、図１乃至図４に記載のように、台座２に対して閉じ位置と開き位置との間を開閉連結部４の軸心３５を中心に往復開閉自在に設けてある。
実施例の場合、図５に記載のように、台座２はその上側にスタンプ台装着枠部１０と開閉操作用の押しボタン装着枠２０を具備し、スタンプ台装着枠部１０には、スタンプ枠６及びスタンプ台枠３が順次一体に嵌着するように構成してあり、押しボタン装着枠２０には、押しボタン４０を中央に取付けてスタンプ台枠３と一体に設けた押え板３６，３７が装着されており、蓋体１は実質的にはスタンプ枠６及びスタンプ台枠３の開口部を開閉するように構成してある。スタンプ枠６及びスタンプ台枠３の開口部には図では省略したスタンプ台が嵌着されて使用される。
【００２０】
蓋体１と台座２との開閉連結部４は、台座２の上向きの軸受枠２１、２２の軸受溝２３、２４とスタンプ台枠３の下向きの軸受枠３１、３２の軸受溝３３、３４との間に、蓋体１の連結枠１１、１２に設けたヒンジ軸１３を挟持する形で回転自在に軸受けするように構成してある。
１４は蓋体１の開閉連結部４の両側に設けたカバー枠部である。
【００２１】
蓋体１には、開閉連結部４のヒンジ軸１３の軸心３５を中心に蓋体１と一体に旋回する開き従動部１５及び閉じ従動部１６が設けてあり、図１乃至図４に記載のように、開き従動部１５は蓋体１の閉じた状態において開閉駆動部材５の開き駆動部５１と相対し、閉じ従動部１６は蓋体１のほぼ開いた状態において、開閉駆動部材５の閉じ駆動部５２と相対して設けてある。
【００２２】
また、台座２の底面付近には、図１乃至図４に記載のように、蓋体閉じ位置及び蓋開き位置において開き駆動部５１及び閉じ駆動部５２をほぼ水平な状態で下側から支持する側面板部２５が突設してあり、開き駆動部５１及び閉じ駆動部５２が蓋体１の回転軸心３５の下方を直角に通る駆動軸部５３を中心に起立すると、開き従動部１５及び閉じ従動部１６は蓋体１の回転に伴って側面板部２５の上方で回転可能である。
【００２３】
前記従動部１５、１６と側面板部２５との間には、図６又は図７に記載のように、開閉駆動部材５の開き駆動部５１と閉じ駆動部５２がヒンジ軸１３の軸心３５と直交する方向の駆動軸部５３を中心に起立回転するように設けてあり、図３または図４の蓋体１が閉じて開き従動部１５と開き駆動部５１とが相対する開閉駆動開始位置から開き駆動部５１が起立回転して、蓋体１が側面板部２５にほぼ垂直な蓋体１の開閉中間位置の手前の開き駆動が終了する押し放し位置まで回転して、蓋体１が慣性により更に回転し、図１または図２の蓋体１が開いて閉じ従動部１６に押されて閉じ駆動部５２が側面板部２５上に倒されて往復回転し、開閉駆動開始位置から閉じ駆動部５２が起立回転すると、蓋体１が側面板部２５にほぼ垂直な蓋体１の開閉中間位置の手前の開き駆動が終了する押し放し位置まで回転して、蓋体１を閉じて往復回転するように構成してある。
【００２４】
開閉駆動部材５は、図５に記載のように、ねじり弾性を有する一本の線材からなり、駆動軸部５３の先端部をＵ字状に折り曲げて開き駆動部５１及び閉じ駆動部５２を一体に成形してあり、図８に記載のように、駆動軸部５３を台座２の底板部２７に沿って設けた軸受溝２６に回転自在に装着してあり、開き又は閉じ駆動部５１，５２を開閉駆動開始位置と駆動終了の押し放し位置との間で往復回転可能に軸受け支持されている。
この実施例の場合、開閉駆動部材５の開閉駆動部５１，５２は、駆動軸部５３に連なる線材を開き駆動部５１で二重に折り曲げ、駆動軸部５３と一直線上にある連結軸部５３を経て閉じ駆動部５２で二重に折り曲げて簡素に成形してある。
また、駆動軸部５３は、線材に限らず、駆動連動部材として操作部５５の回転駆動を開閉駆動部５１，５２に伝達する従来公知の駆動連動機構を採用することができる。
なお、台座２の底部には、駆動軸部５３等からなる駆動連動部材を台座底部に設けるスペースを確保するために、支持脚部５６，５７，５８が設けてある。
【００２５】
開閉駆動部材５の手前側には、図５、図９又は図１０に記載のように、駆動軸部５３から線材を屈曲してクランク腕部５４を介してクランク式に屈曲した操作部５５を前記駆動軸部５３と平行に設けてあり、図において、前記開閉駆動部５１，５２に対して反時計方向に９０度を越えて、好ましくは、１００度から１６０度程度の角度に設けてあり、図９の９０度以上に傾斜した操作部５５を水平方向に向かって下方に押し回し反時計方向に回転操作したとき、水平状態の開閉駆動部５１，５２を反時計方向に３０度乃至８０度程度起立回転するように構成してある。
【００２６】
操作部５５の設置位置には、図８に記載のように、蓋体１の底部２７から押しボタン装着枠部２０内に向かってＬ字状の切欠孔部２８が貫通して設けてあり、駆動軸部５３から起立したクランク腕部５４と操作部５５が切欠孔部２８を通って押しボタン装着枠部２０内に起立可能に位置するように構成してある。
上記の実施例において、前記開閉駆動部材５の駆動軸部５３を台座２の下側に設けたことにより、クランク腕部５４の長さを大きく設定することができるから、操作部５５の回転半径を大きくすることができ、テコの原理により操作部５５による開閉駆動部５１，５２の回転を軽快且つ円滑に行うことができる。
【００２７】
押しボタン装着枠部２０内には、図５に記載のように、長手方向の一端部に駆動軸部５３とほぼ平行に遠く離れて支点枠部４１が設けてあり、該支点枠部４１に押しボタン４０の一端部に連結腕枠部４３を介して設けた支点部４２が上下揺動自在に支持されている。押しボタン４０の下側は操作部５５で支持されている。
押しボタン４０の支点部４２及び連結腕枠部４３の上方は、スタンプ台枠３の手前側に突設した水平板状の押え板３６が覆うと共に、押しボタン４０の先端部側は同様に水平板状の押え板３７が覆うように設けてあり、押しボタン４０の上面の押しボタン部は押え板３６，３７の間に突出して位置するように設けてある。
【００２８】
また、押しボタン４０の手前側にはカバー板部４４が一体に設けてあり、操作部５５を覆うと共に、カバー板部４４の上下する台座２には、操作用切り欠き部２９が設けてあり、押しボタン４０を復帰可能に押し下げることができるように構成してある。
従って、蓋体１の開又は閉位置において、開閉駆動部５１，５２が開閉従動部１５，１６に押し倒された状態で、開閉駆動開始位置に起立状態の操作部５４が押しボタン４０を上方に押した状態で、押しボタン４０の上部が押え板３６，３７で上から押さえられて支持されて安定する状態にすることができる。
なお、押しボタン４０は操作部５５を介して開閉駆動部材５の駆動軸部５３のねじりばね弾力を受けて弾性的に支持されるように構成することも可能である。
【００２９】
押しボタン４０の内側には、操作部５５が駆動回転に伴って接触する部分に、押し回しに伴って押し回し量が減少しない若しくは増大するように筋状の傾斜面部４５を設けてあり、これにより、押しボタン４０により操作部５５を加速度的に効果的に回転操作することができると共に、押しボタン５５の押し込み深さを小さくすることができ、蓋体１の回転操作を迅速に軽快に行うことができる。
従って、クランク腕部５４の長いことによる効果と傾斜面部４５による効果の個々の効果はもちろんであるが、その相乗効果によって押しボタン４０による蓋体１の開閉操作をより軽快に行うことができる。
【００３０】
また、図９又は図１０に記載のように、連結腕枠部４３の裏側には、底板部２７に当接して押しボタン４０の押し込み限度を規制するストッパ４６が設けてある。
そして、押しボタン４０を押しさげて、操作部５５がほぼ水平になった駆動終了状態で、開閉駆動部５１，５２が反時計方向において９０度以下の、好ましくは３０度から８０度の反転可能な角度に起立回転し、蓋体１を旋回駆動して押し放し、蓋体１が慣性で９０度を越えて旋回し、蓋体１の自重により開き又は閉じ従動部１５，１６によって開き又は閉じ駆動部５１，５２を側面板部２５上に押し倒して、操作部５５はほぼ時計方向に３０度乃至８０度程度起立回転して水平な開閉駆動開始位置に復帰するように構成してある。
【００３１】
上記の実施例において、開閉駆動部材５をスタンプ台等の台座２の裏側又は底部２７に取り付けてなる構成を有することにより、スタンプ台等を嵌着する台座２のスタンプ台装着部１０，スタンプ枠６又はスタンプ台枠３から開閉操作部材５の軸受溝を無くすことができ、スタンプ台等のインク等が漏れ出るのを防止することができる効果があると共に、開閉操作部材５の開閉駆動部５１，５２と蓋体の開閉連結部４の駆動軸心３５との距離が遠くなるため、蓋体１の開き従動部１５又は閉じ従動部１６の回転半径を長く設定することができ、又は、開き駆動部５１又は閉じ駆動部５２の回転半径を長く設定することができ、テコの原理で開閉駆動部５１，５２で軽く回転駆動操作することができると共に、開閉駆動部５１，５２の小さな回転駆動角度で従動部１５，１６を回転操作することができる効果がある。
【００３２】
なお、この場合、蓋体１の開き従動部１５又は閉じ従動部１６の回転半径を長く設定する方が、相対的に開き駆動部５１又は閉じ駆動部５２の回転半径を小さくすることができるから、側面受板２５の大きさを小さくすることができる効果があるのみならず、操作部５５との回転半径の比率からテコの原理により操作部５５を軽快に回転操作することができる効果がある。
【００３３】
また、上記の実施例において、図１又は図２に記載のように、蓋体１が開いた状態で、開閉駆動開始位置の開閉駆動部材５の先端方向の閉じ駆動部５２が閉じ従動部１５に相対しており、図３又は図４に記載のように、蓋体１が閉じた状態では手前側の開き駆動部５１が開き従動部１６に相対し、それぞれ駆動部５１，５２が従動部１５，１６に当接して駆動軸心３５を中心に回転して、蓋体１を開き、又は閉じることとなるが、本発明では、開閉従動部１５，１６の開閉駆動部５１，５２に接触する面に、初期接触面に接触抵抗の大きいほぼ平面的な接触抵抗面部１５ａ，１６ａと引き続いて接触する二次接触面に接触抵抗を小さくした円滑接触面１５ｂ、１６ｂが設けてあり、開閉駆動の初期段階では接触抵抗面部１５ａ，１６ａが開閉駆動部に当接して強い回転力を受けて始動し、引き続いて円滑接触面１５ｂ，１６ｂが当接して円滑に滑りながら加速されて急速な回転力を受け、蓋体１に開閉方向の慣性力を有効に付与することができるように構成してある。
【図面の簡単な説明】
【００３４】
【図１】本発明装置の一実施例の一作動状態を示す概略縦断側面図。
【図２】その要部の拡大縦断側面図。
【図３】その他の作動状態を示す概略縦断側面図。
【図４】その要部の拡大縦断側面図。
【図５】その分解斜視図。
【図６】その要部の一作動状態を示す概略斜視図。
【図７】その要部の拡大斜視図。
【図８】その実施例の底面図。
【図９】その要部の斜視図。
【図１０】その要部の拡大斜視図。
【符号の説明】
【００３５】
１      蓋体
２      台座
３      スタンプ台枠
４      開閉連結部
５      開閉駆動部材
６      スタンプ枠
１０    スタンプ台装着枠部
１１，１２    連結枠
１３    ヒンジ軸（回転軸、旋回軸）
１４    カバー枠部
１５    開き従動部
１６   閉じ従動部
２０    押しボタン装着枠部
２１，２２    軸受枠
２３    軸受溝
２４    軸受溝
２５    側面板部
２６    軸受溝
２７    底部
２８    切欠孔部
２９    操作切り欠き部
３１，３２    軸受枠
３３    軸受溝
３４    軸受溝
３５    軸心（回転軸心、旋回軸心）
３６    押え板
３７    押え板
４０    押しボタン
４１    支点枠部
４２    支点部
４３    連結腕枠部
４４    カバー板部
４５    傾斜面部
４６    ストッパ部
５１    開き駆動部
５２    閉じ駆動部
５３    駆動軸部
５４    クランク腕部
５５    操作部
５６、５７、５８    支持脚部
【図１】
0004566220.tif 000002
【図２】
0004566220.tif 000003
【図３】
0004566220.tif 000004
【図４】
0004566220.tif 000005
【図５】
0004566220.tif 000006
【図６】
0004566220.tif 000007
【図７】
0004566220.tif 000008
【図８】
0004566220.tif 000009
【図９】
0004566220.tif 000010
【図１０】
0004566220.tif 000011